【手続補正書】
【提出日】平成21年8月20日(2009.8.20)
【手続補正１】
【補正対象書類名】特許請求の範囲
【補正対象項目名】全文
【補正方法】変更
【補正の内容】
【特許請求の範囲】
【請求項１】
一つの画素の色を指定する３つの信号を入力するステップと、
入力された前記３つの信号から、一つの画素の色を混色によって表示するための、互いに異なる４つの色の強度を示す４つの信号を生成するステップと、
を有しており、
前記生成するステップは、
入力された前記３つの信号を、
前記４つの色のうちの２つの色の強度を示す２つの信号と、
前記４つの色を混色して得られる一つの混色の強度、もしくは該４つの色のうちの複数の色を混色して得られる一つの混色の強度を示す信号と、
に変換する第１の変換ステップと、
前記混色の強度を示す前記信号を、
前記２つの色と異なる他の２つの色を少なくとも含む複数の色の強度を示す複数の信号、に変換する第２の変換ステップと、
を有する信号処理方法。
【請求項２】
前記混色は、少なくとも前記他の２つの色を混色して得られる色である請求項１記載の信号処理方法。
【請求項３】
前記混色は、前記４つの色、もしくは該４つの色のうちの複数の色を所定の混合比で混色して得られた色であり、
前記第２の変換ステップでは、前記混合比にしたがって、前記混色の強度を示す信号が前記４つの色もしくは前記複数の色の強度を示す信号に変換される
請求項１または請求項２に記載の信号処理方法。
【請求項４】
前記混色は、前記２つの色のうちの少なくともいずれか一方と、前記他の２つの色とを混色して得られる色であり、
さらに、
前記第２の変換ステップで得られた前記複数の信号のうちの、前記２つの色のうちの一方の色の強度を示す信号と、
前記第１の変換ステップで得られた該一方の色の強度を示す信号と、
を合成するステップを有する請求項１〜３のいずれかに記載の信号処理方法。
【請求項５】
前記第１の変換ステップを、前記２つの色の組み合わせを異ならせてそれぞれ行い、それぞれで得られた前記２つの色の強度を示す信号と前記混色の強度を示す信号との値が全て正になった第１の変換ステップの結果に基づいて前記第２の変換ステップを行う請求項１〜４のいずれかに記載の信号処理方法。
【請求項６】
一つの画素の色を指定する３つの信号を入力するステップと、
入力された前記３つの信号から、一つの画素の色を混色によって表示するための、互いに異なる４つの色の強度を示す４つの信号を生成するステップと、
を有しており、
前記生成するステップは、
入力された前記３つの信号を、前記４つの色のうちの３つの色の強度を示す３つの信号に変換する第１の変換ステップと、
入力された前記３つの信号を、前記３つの色の組み合わせとは異なる組み合わせの３つの色の強度を示す３つの信号に変換する第２の変換ステップと、
前記第１の変換ステップで得られる３つの信号及び前記第２の変換ステップで得られる
３つの信号のうち、同じ色の強度を示す信号を合成する合成ステップと、
を有する信号処理方法。
【請求項７】
前記合成ステップでは、前記第１の変換ステップによって得られた３つの信号を用いて表示を行った画素のｕ’ｖ’色度を（ｕ’１、ｖ’１）とし、前記第２の変換ステップによって得られた３つの信号を用いて表示を行った画素のｕ’ｖ’色度を（ｕ’２、ｖ’２）とし、合成した結果得られた４つの信号を用いて表示を行った画素のｕ’ｖ’色度を（ｕ’、ｖ’）とするとき、
｛（ｕ’―ｕ’１）×２＋（ｖ’―ｖ’１）×２｝×（１／２）≦０．０１５
及び、
｛（ｕ’―ｕ’２）×２＋（ｖ’―ｖ’２）×２｝×（１／２）≦０．０１５
を満たすように合成する請求項６記載の信号処理方法。
【請求項８】
一つの画素の色を指定する３つの信号を入力するステップと、
入力された前記３つの信号から、一つの画素の色を混色によって表示するための、互いに異なる４つの色の強度を示す４つの信号を生成するステップと、
を有しており、
前記生成するステップは、
入力された前記３つの信号を、前記４つの色から３つの色を抜き出す４つの組合せ、及び、前記４つの色のうちいずれか１つの色の値を最大値に固定した４つの組合せからなる８つの組合せのうちの第１の組合せの３つもしくは４つの色の強度を示す３つもしくは４つの信号に変換する第１の変換ステップと、
入力された前記３つの信号を、前記８つの組合せのうちの前記第１の組合せとは異なる第２の組合せの３つもしくは４つの色の強度を示す３つもしくは４つの信号に変換する第２の変換ステップと、
前記第１の変換ステップで得られる前記第１の組合せの３つもしくは４つの信号と前記第２の変換ステップで得られる前記第２の組合せの３つもしくは４つの信号のうち、同じ色の強度を示す信号を合成する合成ステップと、
を有する信号処理方法。
【請求項９】
前記合成ステップは、
生成した前記４つの信号のいずれかの値が設定した最大値を超える場合、前記値と前記最大値との差分を他の３つの色の強度を示す信号に置換する置換ステップを有する請求項４
及び６〜８のいずれかに記載の信号処理方法。
【請求項１０】
３次元色空間上の点を指定する３つの信号を４つの基底ベクトルからなる４次元色空間上の点を指定する４つの信号に変換する信号処理方法であって、
３次元色空間上の点を、前記４つの基底ベクトルの線形結合で表される第１のベクトルと、前記４つの基底ベクトルのうちの２つの基底ベクトルと、の線型結合で表すための係数値を算出する第１のステップと、
前記第１のステップで算出された第１のベクトルの係数値から前記４つの基底ベクトルの係数値を算出する第２のステップと、
前記第１のステップで得られる２つの基底ベクトルの係数値と前記第２のステップで得られる４つの基底ベクトルの係数値から、４つの基底ベクトルの線型結合で４次元色空間上の点を表すための係数値を算出するステップと、
を有する信号処理方法。
【請求項１１】
３次元色空間上の点を指定する３つの信号を４つの基底ベクトルからなる４次元色空間上の点を指定する４つの信号に変換する信号処理方法であって、
３次元色空間上の点を、４つの基底ベクトルのうちの３つの基底ベクトルの線型結合で
表すための係数値を算出する第１のステップと、
３次元色空間上の点を、前記３つの基底ベクトルの組合せとは異なる組合せの３つの基底ベクトルの線型結合で表すための係数値を算出する第２のステップと、
前記第１のステップで算出された係数値と前記第２のステップで算出された係数値から４つの基底ベクトルの線型結合で４次元色空間上の点を表すための係数値を算出する第３のステップと、
を有する信号処理方法。
【請求項１２】
３次元色空間上の点を指定する３つの信号を４つの基底ベクトルからなる４次元色空間上の点を指定する４つの信号に変換する信号処理方法であって、
３次元色空間上の点を、４つの基底ベクトルから３つの基底ベクトルを抜き出す４つの組合せと、前記４つの基底ベクトルのうちいずれか１つの基底ベクトルの係数値を最大値に固定した４つの組合せとの８つの組合せから選択された一の組合せの３つの基底ベクトルの線型結合で表すための係数値を算出する第１のステップと、
３次元色空間上の点を、前記一の組合せとは異なる他の組合せの３つの基底ベクトルの線型結合で表すための係数値を算出する第２のステップと、
前記第１のステップで算出された係数値と前記第２のステップで算出された係数値から４つの基底ベクトルの線型結合で４次元色空間上の点を表すための係数値を算出する第３のステップと、
を有する信号処理方法。
【請求項１３】
請求項１乃至１２のいずれか１項の信号処理方法を用いて、入力される３つの信号を前記４つの信号に変換するデータ変換回路と、
前記４つの信号に基づき駆動信号を出力する駆動回路と、
該駆動回路から出力される駆動信号に従って画像を表示する表示素子とを有する画像表示装置。
【請求項１４】
請求項１３に記載の画像表示装置と、
テレビ信号を受信して該画像表示装置に画像データを供給する受信回路とを有するテレビジョン装置。